(57)【特許請求の範囲】
【請求項１】
浄水材を樹脂ケースに収容して容器内の水や湯内に浸漬され、浄水材に水や湯を接触させて浄水する浄水器であって、
樹脂ケースの、少なくとも容器の注出路が接続された流出口に弾性的に挿入される取り付け部を有した取り付け側の端部を、金属カバーにより覆い、樹脂ケースの端部と金属カバーとの間に空間を設け、樹脂ケースは偏平であって表裏に通液部が設けられており、金属カバーは、樹脂ケースの表側と、側周と、裏側の下部とを通液部を残して覆う形状を有していることを特徴とする浄水器。
【請求項２】
浄水材を樹脂ケースに収容して容器内の水や湯内に浸漬され、浄水材に水や湯を接触させて浄水する浄水器であって、
樹脂ケースの、少なくとも容器の注出路が接続された流出口に弾性的に挿入される取り付け部を有した取り付け側の端部を、金属カバーにより覆い、樹脂ケースの端部と金属カバーとの間に空間を設け、樹脂ケースは偏平であって表裏に通液部が設けられており、金属カバーは、樹脂ケースの表側を覆う表壁と、この表壁の周囲から折り曲げられた周壁と、下部の周壁から樹脂ケースの裏側下部に折り曲げられた折り曲げ壁とを有していることを特徴とする浄水器。
【請求項３】
樹脂ケースと金属カバーとは、樹脂ケースの下端部を金属カバーの前記裏側下部を覆う壁が形成するポケット部へ挿入した部分を支点として、樹脂ケースの全体を金属カバーに嵌め合わせるときの相対移動の際に、樹脂ケースの側周と金属カバーの周壁との間で係合し合って外れ止めする外れ止め係合部を有している請求項１、２のいずれか一項に記載の浄水器。
【請求項４】
浄水材を樹脂ケースに収容して容器内の水や湯内に浸漬され、浄水材に水や湯を接触させて浄水する浄水器であって、
樹脂ケースの、少なくとも容器の注出路が接続された流出口に弾性的に挿入される取り付け部を有した取り付け側の端部を、金属カバーにより覆い、樹脂ケースの端部と金属カバーとの間に空間を設け、浄水材はフィルターブロックと、これの表裏に当てがわれた網とからなり、樹脂ケースは互いの嵌め合わせによって閉じられる表側ケースと裏側ケースとからなり、相互の間に浄水材を収容していることを特徴とする浄水器。
【請求項５】
浄水材を樹脂ケースに収容して容器内の水や湯内に浸漬され、浄水材に水や湯を接触させて浄水する浄水器であって、
樹脂ケースの、少なくとも容器の注出路が接続された流出口に弾性的に挿入される取り付け部を有した取り付け側の端部を、金属カバーにより覆い、樹脂ケースの端部と金属カバーとの間に空間を設け、取り付け部は、ばね線材よりなる取り付け脚であり、この取り付け脚は金属カバーおよびその内部の空間を通して樹脂カバーの一部に嵌めつけ連結されていることを特徴とする浄水器。
【請求項６】
浄水材を樹脂ケースに収容して容器内の水や湯内に浸漬され、浄水材に水や湯を接触させて浄水する浄水器であって、
樹脂ケースの、少なくとも容器の注出路が接続された流出口に弾性的に挿入される取り付け部を有した取り付け側の端部を、金属カバーにより覆い、樹脂ケースの端部と金属カバーとの間に空間を設け、取り付け脚は、中央の折り返し部を線材端部間にその折り返し方向の第１のばね性を与える第１のばね基部とし、この第１のばね基部から引き揃え状態で端部側に延びる一対のばね線材の途中を第１のばね基部の折り返し方向とは直交する向きで折り返すか蔓巻き状にして、第１のばね基部側の突片と一対の線材端部側の二股片との間に第１のばね性とは直交する方向の第２のばね性を与える第２のばね基部を形成し、一対の線材端部を第１のばね基部の折り返し方向と平行な、外向きまたは内向きに屈曲させて取り付け片を形成し、これら取り付け片を第１のばね基部による第１のばね性によって樹脂ケースの係合部に弾性的に係合させて連結されていることを特徴とする浄水器。
【請求項７】
浄水材を樹脂ケースに収容して容器内の水や湯内に浸漬され、浄水材に水や湯を接触させて浄水する浄水器であって、
樹脂ケースの、少なくとも容器の注出路が接続された流出口に弾性的に挿入される取り付け部を有した取り付け側の端部を、金属カバーにより覆い、樹脂ケースの端部と金属カバーとの間に空間を設け、樹脂ケースは、表裏の通液部の少なくとも一方に、浄水材のフィルターブロックの厚みよりも高い格子状の隔壁を有していることを特徴とする浄水器。
【請求項８】
中央の折り返し部を線材端部間にその折り返し方向の第１のばね性を与える第１のばね基部とし、この第１のばね基部から引き揃え状態で端部側に延びる一対のばね線材の途中を第１のばね基部の折り返し方向とは直交する向きで折り返すか蔓巻き状にして、第１のばね基部側の突片と一対の線材端部側の二股片との間に第１のばね性とは直交する方向の第２のばね性を与える第２のばね基部を形成し、一対の線材端部を第１のばね基部の折り返し方向と平行な、外向きまたは内向きに屈曲させて取り付け片を形成したことを特徴とする浄水器の取り付け脚。
【請求項９】
外装ケースに収容された内容器内の内容液をヒータで加熱して湯沸かしや保温を行って貯湯し、内容器の底部の流出口に接続された注出路を通じて内容液を外部に注出し使用に供するようにした電気貯湯容器であって、浄水材を樹脂ケースに収容して内容器内の水や湯内に浸漬され、浄水材に水や湯を接触させて浄水するとともに、前記流出口に内容器の内側から弾性的に挿入されて取り付けられる取り付け部を取り付け側の端部に持った浄水器を組み合わせ備え、樹脂ケースの、少なくとも容器への取り付け部を有する端部を、金属カバーにより覆って、樹脂ケースの端部との間に空間を形成しており、取り付け部は、中央の折り返し部を線材端部間にその折り返し方向の第１のばね性を与える第１のばね基部とし、この第１のばね基部から引き揃え状態で端部側に延びる一対のばね線材の途中を第１のばね基部の折り返し方向とは直交する向きで折り返すか蔓巻き状にして、第１のばね基部側の突片と一対の線材端部側の二股片との間に第１のばね性とは直交する方向の第２のばね性を与える第２のばね基部を形成し、一対の線材端部を第１のばね基部の折り返し方向と平行な、外向きまたは内向きに屈曲させて取り付け片を形成し、これら取り付け片を第１のばね基部による第１のばね性によって樹脂ケースの係合部に弾性的に係合させて連結されている取り付け脚であることを特徴とする電気貯湯容器。
【発明の詳細な説明】
【０００１】
【発明の属する技術分野】
本発明は、水や湯を溜め置いて必要な都度それを使用に供するのに、溜め置かれている水や湯に浸漬されてそれを浄水するのに用いられる浄水器とこれの取り付け脚、およびこれを用いた電気ポットなどの電気貯湯容器に関するものである。
【０００２】
【従来の技術】
このような浄水器は本出願人が既に提案していて特開平０７−３２０５０号公報に開示さてれいる。開示されている浄水器はいずれも本体が偏平で表裏の通液部を通じて、浄水材とこれが浸漬されているまわりの水や湯と接触を図るようになっている。また、浄水材は樹脂製のケースに収容しているが、この樹脂製のケースの外側を金属ケースによって覆っているので、樹脂ケースを保護する構造になっている。中でも、ばね線材よりなる取り付け脚を端部に設け、この取り付け脚を電気ポットの内容器の底部の注出路が接続された流出口に弾性的に挿入することにより浄水器を簡易に取り付け浸漬状態にすることができるタイプのものが既に提案されている。
【０００３】
【発明が解決しようとする課題】
しかし、取り付け脚を内容器の流出口に挿入して取り付けられる浄水器は、浄水器が内容器の底部に近づき内容液を加熱するヒータからの熱影響が大きくなる。にも係わらず、浄水器の取り付け端部で樹脂ケースが内容器の底部側に露出していたり、この露出部分を内容器の底部の側に延ばすなどして前記取り付け脚との連結に利用したりしているので、樹脂ケースの内容器の底部に近い部分での溶け落ちが発生することがある。
【０００４】
本発明の目的は、容器の注出路に接続された流出口に弾性的に挿入される取り付け部によって取り付けられる浄水器であっても、樹脂ケースの溶け落ちを防止することができる浄水器や、これに用いる取り付け脚、およびこれらを利用した電気貯湯容器を提供することにある。
【０００５】
【課題を解決するための手段】
上記のような目的を達成するために、本発明の浄水器の１つの特徴では、浄水材を樹脂ケースに収容して容器内の水や湯内に浸漬され、浄水材に水や湯を接触させて浄水するものであって、樹脂ケースの、少なくとも容器の注出路が接続された流出口に弾性的に挿入される取り付け部を有した端部を、金属カバーにより覆い、樹脂ケースの端部と金属カバーとの間に空間を設けている。
【０００６】
これにより、浄水材を収容した樹脂ケースの、容器の注出路が接続された流出口に弾性的に挿入される取り付け部を有した取り付け側の端部が、金属カバーにより覆われていて、前記取り付け部を容器の前記流出口に弾性的に挿入する取り付け構造上、樹脂ケースがヒータを有した容器の底部近くになっても金属カバーによる遮熱と、金属カバーと樹脂ケースの端部との間に設けられた空間での断熱とによって、ヒータからの熱影響が二重に防止されるので、樹脂ケースの取り付け側端部が溶けるようなことを防止できる。また、万一、樹脂ケースの取り付け側端部が溶けたとしたも、この端部が金属ケースで覆われていることによって溶けた樹脂が容器内に落ちて付着するというような溶け落ちを防止することができる。
【０００７】
また、樹脂ケースが偏平であって表裏に通液部が設けられていることにより、浄水器は容器の底部の上にほぼ直角に衝立状に立ち上がるように浄水器が取り付けられて、大きな比表面積ないしは通液面積と薄い奥行きを持った小さな通液抵抗状態にて内容液内に浸漬されて、内容液が浄水材を通りやすくするし、内容液に加熱され、沸騰されるときの対流や、注出されるときの動きがあるとき、これを遮ろうとしてより通過させやすくなるので、浄水効果の高いものとなる。
【０００８】
また、金属カバーは、樹脂ケースの表側と、側周と、裏側の下部とを通液部を残して覆う形状を有している構成としていることにより、金属カバーの構造や浄水材との嵌め合い構造を特に複雑にするようなことなく、金属カバーにより樹脂ケースを覆う部分を大きくして、金属表面による汚れにくく清潔感を保ちやすいものとすることができる。
【０００９】
本発明の別の特徴では、特に、金属カバーは、樹脂ケースの表側を覆う表壁と、この表壁の周囲から折り曲げられた周壁と、下部の周壁から樹脂ケースの裏側下部に折り曲げられた折り曲げ壁とを有している構成としていることにより、上記構造の金属カバーを板金加工だけで簡易に製作することができる。
【００１０】
これらいずれの構成の金属カバーを有したものでも、樹脂ケースと金属カバーとが、樹脂ケースの下端部を金属カバーの前記裏側下部を覆う壁が形成するポケット部へ挿入した部分を支点として、樹脂ケースの全体を金属カバーに嵌め合わせるときの相対移動の際に、樹脂ケースの側周と金属カバーの周壁との間で係合し合って外れ止めする外れ止め係合部を有したものとすることにより、樹脂ケースの下端部を金属カバーの下部ポケットに挿入して、この挿入部を支点に樹脂ケースおよび金属カバーの全体を嵌め合わせるだけで、双方が外れ止め状態となるので、組み立てが簡単になる。
【００１１】
本発明の他の特徴では、特に、浄水材はフィルターブロックと、これの表裏に当てがわれた網とからなり、樹脂ケースは互いの嵌め合わせによって閉じられる表側ケースと裏側ケースとからなり、相互の間に浄水材を収容している構成であることにより、単体のフィルターブロックの表裏を網材で保護およびカバーし、これを互いの嵌め合わせによって閉じられる表側ケースと裏側ケースとに収容するだけで、全体が単体で取り扱えるようになるので、使用に便利であり薄いフィルターブロックを用いても耐久性や分離粒の発生などで特に問題となることはない。
【００１２】
本発明の今１つの特徴では、特に、取り付け部が、ばね線材よりなる取り付け脚であり、この取り付け脚は金属カバーおよびその内部の空間を通して樹脂ケースの一部に嵌めつけ連結されているものであることにより、容器の注出路が接続される流出口に弾性的に挿入される取り付け脚を、ばね線材の各種の折り曲げによって種々な形態に形成して安定した取り付け状態を確保しながら、流出口との間に大きな遊びを残しやすく内容液の注出路を通じた注出を邪魔するようなことを回避しやすい。
【００１３】
本発明のさらに別の特徴では、特に、取り付け脚が、中央の折り返し部を線材端部間にその折り返し方向の第１のばね性を与える第１のばね基部とし、この第１のばね基部から引き揃え状態で端部側に延びる一対のばね線材の途中を第１のばね基部の折り返し方向とは直交する向きで折り返すか蔓巻き状にして、第１のばね基部側の突片と一対の線材端部側の二股片との間に第１のばね性とは直交する方向の第２のばね性を与える第２のばね基部を形成し、一対の線材端部を第１のばね基部の折り返し方向と平行な、外向きまたは内向きに屈曲させて取り付け片を形成し、これら取り付け片を第１のばね基部による第１のばね性によって樹脂ケースの係合部に弾性的に係合させて連結されていることにより、取り付け脚の浄水器側への連結が、金属カバー内の樹脂ケースの端部との間の空間と、ばね線材の端部側の第１のばね基部を境にした第１のばね性によって容易に達成されるし、二股状の第２のばね基部は取り付け脚の下端部をなして前記第１のばね基部による第１のばね性によって流出口に所定の向きで圧入されるのに加え、第２のばね基部からの第１のばね基部側の突片と一対の端部側二股片とが、第２のばね基部による第２のばね性によって第１のばね性とは直交する向きで流入口に圧入されるので、直交する２方向のばね性を持って圧入して浄水器を容器に対しより安定して取り付けることができる。
【００１４】
本発明のさらに他の特徴では、特に、樹脂ケースが、表裏の通液部の少なくとも一方に、浄水材のフィルターブロックの厚みよりも高い格子状の隔壁を有しているものであることにより、内容液に少しの動きがあっても、これを前記隔壁によって捕捉して浄水材を通るように向けやすいので、内容液を浄水材に接触させやすいので、浄水効果が向上する。
【００１５】
なお、このような取り付け脚は、浄水器から分離して、中央の折り返し部を線材端部間にばね性を与える第１のばね基部とし、この第１のばね基部から引き揃え状態で端部側に延びる一対のばね線材の途中を第１のばね基部の折り返し方向とは直角な向きに折り返すか蔓巻き状にして、第１のばね基部側片と一対の線材端部側との間にばね性を与える第２のばね基部を、第１のばね基部を境にした二股状に形成し、一対の線材端部を第１のばね基部の折り返し方向と平行な、外向きまたは内向きに屈曲させて取り付け片を形成した構成として単独で提供し、浄水器と組み合わせ使用されるようにしても有効である。
【００１６】
また、本発明の電気貯湯容器は、外装ケースに収容された内容器内の内容液をヒータで加熱して湯沸かしや保温を行って貯湯し、内容器の底部の流出口に接続された注出路を通じて内容液を外部に注出し使用に供するようにしたものであって、浄水材を樹脂ケースに収容して内容器内の水や湯内に浸漬され、浄水材に水や湯を接触させて浄水するとともに、前記流出口に内容器の内側から弾性的に挿入されて取り付けられる取り付け部を端部に持った浄水器を組み合わせ備え、樹脂ケースの、少なくとも容器への取り付け部を有する端部を、金属カバーにより覆って、樹脂ケースの端部との間に空間を形成していることにより、電気貯湯容器において、浄水器をその取り付け部で容器の流出口に弾性的に簡易に取り付けて浄水に用いるのに、浄水器が容器のヒータに近い底部に近づいた構成であっても、前記金属カバーの遮熱と空間による断熱とで、樹脂ケースの端部がヒータからの熱により溶けるようなことを防止し、万一溶けても金属カバーで受けて容器内に溶け落ちるようなことを回避することができる。
【００１７】
また、取り付け部は、上記の取り付け脚を採用していることにより、それと同じ作業効果が得られるようにすることができる。
【００１８】
本発明のそれ以上の目的および特徴は、以下の詳細な説明および図面の記載によって明らかになる。本発明の各特徴は、可能な限りそれ単独で、あるいは必要に応じ各種に組み合わせ、複合して用いることができる。
【００１９】
【発明の実施の形態】
以下、本発明の実施の形態の浄水器およびその取り付け脚、これらを用いた電気貯湯容器について、その実施例とともに図面を参照しながら詳細に説明し、本発明の理解に供する。
【００２０】
本実施の形態は図１０、図１１に示すような電気貯湯容器の１つの実施例である電気ポットに適用する場合の一例である。しかし、本発明はこれに限られることはなく、容器に水や湯を溜めおいてこれを必要に応じて容器の底部の流出口に接続された注出路を通じて注出し使用できるようにする、種々なタイプの容器類一般に用いて有効である。
【００２１】
図１０、図１１に示す電気ポットは、鋼板製の内容器２を鋼板製の外装ケース３内に収容して器体４を構成している。この内容器２の底部下面にヒータ１が当てがわれて湯沸かしや保温を行うようにしている。ヒータ１の背部には遮熱板７ｃが設けられ、内容器２の底部下に隙間を設けて金具やねじによって取付けられている。
【００２２】
内容器２は外装ケース３の上端に嵌め合わせた合成樹脂製の肩部材５によって上端フランジを受けられている。一方、外装ケース３の下端には合成樹脂製の環状な底部材６が当てがわれるとともに、底部材６の中央開口には底蓋９が下方から当てがわれ、この底蓋９と前記内容器２の底部とをねじおよび連結金具によって連結し、外装ケース３、内容器２および肩部材５、底部材６、底蓋９の相互を一体化している。底部材６には回路ボックス８が一体形成されている。底蓋９の外周に回転座体１１を回転可能に嵌め合わせ保持している。これによって器体４を定置したとき回転座体１１上で器体４が滑動して回転される。
【００２３】
内容器２の底部には内容液を注出する注出路１２が接続されている。この注出路１２は内容器２と外装ケース３との間の空間で、肩部材５の前部に設けられた嘴状突出部１３内にまで立ち上がり、この部分で逆Ｕ字状に屈曲して吐出口１４が下向きに開口している。注出路１２の内容器２よりも下になった部分には、注出路１２に流入する内容液を前記吐出口１４に送り出す遠心ポンプ１５が設けられ、図２、図３に示すモータ１０によって駆動するようにしている。１２ａは内容器２の注出路１２が接続された流出口、１２ｃは注出路１２の立ち上がり部を透明管にして形成した液量表示部であり外装ケース３の図示しない液量表示窓を通じて外部に液量を表示する。
【００２４】
前記嘴状突出部１３の下側に当てがい外装ケース３の前部に取付た下カバー１６に注液ガイド１７が一体に設けられ、吐出口１４が遊びを持って嵌まり合っている。吐出口１４から吐出される内容液は吐出口１４の注液ガイド１７内に開口する下端からのスリット１４ａにより一旦大気に開放された後、前記注液ガイド１７により周りへ飛散しないように案内され注液される。
【００２５】
内容器２の底部下面の中央部には、ヒータ１の中央孔を通じて温度センサ２１が当てがわれ、内容液の温度を検出して、回路ボックス８に収容される制御回路２２に内容液の温度情報を与える。これによって制御回路２２は内容液を湯沸かししたり、所定の温度に保温したりするようにヒータ１を通電制御し、また、これらのために内容液の沸騰の有無や内容液温度を判断する。回路ボックス８の下部開口には合成樹脂製のカバー８２が施され、器体が流し台のシンクタンクに置かれたような場合に底部に侵入することがある侵入水があっても、これが制御回路２２に及ぶようなことを防止するようにしてある。
【００２６】
器体４の上端には器体蓋３１が設けられている。器体蓋３１はその後部で肩部材５の内側に一部が開放するように設けられた軸受部３２にヒンジピン３３によって開閉および着脱が可能なように枢着されている。器体蓋３１の着脱は器体蓋３１に一体のヒンジピン３３が軸受部３２の開放部から出し入れできる状態にまで器体蓋３１を開くことによって可能となる。したがって器体蓋３１が閉じ状態にあるとき器体蓋３１が不用意に外れるようなことが回避される。
【００２７】
器体蓋３１の前端部にはロック部材３４が設けられ、器体蓋３１が閉じられたとき肩部材５の一部に設けた係止部５ａに弾性係合することにより器体蓋３１を閉じ状態に係止する。このロック部材３４はこれに働かされたばねに抗し外部のロック解除部材３０により後退方向に押動されて、前記係止部との係合が外れ器体蓋３１の閉じ位置への係止を解除する。ロック解除部材３０はレバータイプであって、一端部を押すか、引くかして枢軸３０ａを中心に回動させてロック解除操作を行い、ロック解除後ロック解除部材３０に指を引っかけて引き上げることで、ロック解除操作に引き続いて器体蓋３１を開く操作が連続して行える。
【００２８】
器体蓋３１の裏板３５の内側には金属板からなる内蓋３６が当てがわれ、ビス止めされている。内蓋３６の外周にはシールパッキング３８が装着され、これが内容器２の口部に圧接して内容器２を閉じるようにしている。
【００２９】
内蓋３６と前記器体蓋３１の裏板３５との間には、内容器２内で発生する蒸気を外部に逃がす蒸気通路３９が設けられ、内容器２内が蒸気の発生によって異常昇圧するのを回避するようにしている。
【００３０】
この蒸気通路３９の途中には器体４の転倒時に内容液が蒸気通路３９を通じて流出するのを防止する転倒時止水弁４１や、器体４の転倒時に内容液が蒸気通路３９を通じて外部に流出しようとしても、これを蒸気通路３９の途中に溜め込み、外部への流出を遅らせる液溜め４０ａと４０ｂが設けられている。
【００３１】
肩部材５の嘴状突出部１３の上面には、遠心ポンプ１５を働かせたり、電気ポットが有する各種モードを設定したりする操作パネル４４が設けられ、操作パネル４４の内側に設けられた操作基板４５上の各種スイッチを押圧操作し、また操作基板４５上に設けられたＬＥＤ等の各種表示部の点灯、消灯を外部に表示できるようにしてある。
【００３２】
また注出路１２の逆Ｕ字状の屈曲部１２ｂの直ぐ下には転倒時止水弁６１ａや前傾時止水弁６１ｂが設けられている。
【００３３】
遠心ポンプ１５は、図示しないモータにより駆動されるインペラ１０１と、このインペラ１０１を収容するとともにインペラ１０１のほぼ回転中心１０２上で外部に延びる吸込口１０３および外周から接線方向Ｙに外部に延びる吐出口１０４を有したケーシング１０５とを備えた従来通りの基本構成を有し、インペラ１０１が回転駆動されると、ケーシング１０５内の水や湯などの液体を羽根で旋回させて遠心力を与えケーシング１０５の内周に押しつけ沿わせた旋回流を形成させながら、ケーシング１０５の外周から接線方向Ｙに外部に延びる吐出口１０４に向け送りだして吐出させ、同時に吸込口１０３から液体を吸い込んで、前記吐出を連続して行う。
【００３４】
ところで、本実施の形態のインペラ１０１はケーシング１０５内に図１０、図１１に示すように偏心して位置している。このインペラ１０１の偏心によってできたインペラ１０１の外周とケーシング１０５の内周との間のほぼ最大隙間１０６の位置に対応する部分から、ほぼ接線方向Ｙに向けて、あるいは、インペラ１０１の偏心方向Ｘに対しほぼ直角な向きで、前記吐出口１０４を設け、この吐出口１０４の少なくとも基部の開口１０４ａの口径Ｄを前記最大隙間１０６の大きさにほぼ同等に設定している。図示する実施例では円形なインペラ１０１に対しケーシング１０５を少し長円にしてその長手方向の一方側に偏心させている。これによって、インペラ１０１の偏心によってケーシング１０５の内周との間の隙間が徒に広がるのを防止することができる。しかし、これに限られることはなく、円形でも楕円形でもよく、ケーシング１０５の内部形状は特に問わない。また、吐出口１０４は前記口径Ｄを有するほぼストレートなパイプとしてあるが、途中で屈曲したり、湾曲したものであったりしてもよいし、先端口径が前記口径Ｄよりも大きくなっても、小さくなってもよい。また、口径Ｄは最大隙間１０６よりも少し大きくても図示する実施例のように少し小さくてもよい。また、吐出口１０４の基部の開口１０４ａは円形でなくても、最大隙間１０６の形状に合わせた、ほぼ相似な矩形の形状にすることもできる。
【００３５】
ケーシング１０５内に偏心して位置しているインペラ１０１が回転駆動されると、これによって生じるケーシング１０５の内周に押しつけられ沿わされる旋回流は、インペラ１０１の偏心によってできるインペラ１０１の外周とケーシング１０５の内周との間の最大隙間１０６の位置側で、インペラ１０１の羽根１０１ａに捕捉されない自由旋回流を生じ、これが前記最大隙間１０６の位置に対応する部分から、ほぼ接線方向Ｙに向けて、あるいは、インペラ１０１の偏心方向Ｘに対しほぼ直角な向きで設けられた吐出口１０４に向け案内することになる。また、一旦できた自由旋回流は吸込による常時液が充満しているケーシング１０５内のインペラ１０１との間の隙間の狭い側には戻りにくく前記案内に従わせやすい。これらによって、自由旋回流を前記吐出口１０４へスムーズに向かわせることができる。また、この吐出口１０４の少なくとも基部の口径が前記最大隙間１０６の大きさにほぼ同等であることによって、前記自由旋回流のほとんどを吐出口１０４にスムーズに流出させられる。従って吐出効率が向上する。
【００３６】
しかも、気泡を吸い込んでもこれが前記自由旋回流とともに前記最大隙間１０６の位置に集められてインペラ１０１の捕捉から解放されやすいので、吸い込んだ気泡を前記自由旋回流とともに早期に吐出させケーシング１０５内で増量するのを防止し、安定した吐出を保証することができる。
【００３７】
図１〜図１３に示すように本実施の形態の浄水器１１１は、浄水材１１２を樹脂ケース１１３に収容して容器の一例である内容器２内の水や湯内に浸漬され、浄水材１１２に水や湯を接触させて浄水するものであるが、樹脂ケース１１３の、少なくとも内容器２内の注出路１２が接続された流出口１２ａに弾性的に挿入される取り付け部１１４を有した端部１１３ａを図９に示す実施例のように、金属カバー１１５により覆うか、あるいはそれ以上の部分を図１〜図８の実施例に示すように覆うかし、樹脂ケース１１３の端部１１３ａと金属カバー１１５との間に例えば図５に示す実施例のような空間１１６を設けてある。
【００３８】
このように本実施の形態では、浄水材１１２を収容した樹脂ケース１１３の、内容器２の注出路１２が接続された流出口１２ａに弾性的に挿入される取り付け部１１４を有した取り付け側の端部１１３ａは、金属カバー１１５により覆われている。従って、前記取り付け部１１４を内容器２の前記流出口１２ａに弾性的に挿入する取り付け構造上、図１０、図１１に示すように樹脂ケース１１３がヒータ１を有した内容器２の底部近くになっても金属カバー１１５による遮熱と、金属カバー１１５と樹脂ケース１１３の間に設けられた空間１１６での断熱とによって、ヒータ１からの熱影響が二重に防止される。これにより、樹脂ケース１１３の端部１１３ａが溶けるようなことを防止できる。また、万一、樹脂ケース１１３の取り付け側端部１１３ａが溶けたとしたも、この端部が金属カバー１１５で覆われていることによって溶けた樹脂が内容器２内に落ち付着するというような溶け落ちの問題を防止することができる。樹脂ケース１１３の端部１１３ａの裏側を残して前側部分を前方から後方斜めの向きに切除した形状とすることにより、金属カバー１１５との間に空間１１６を形成し、残した後壁の部分には補強リブ１１３ｐを設けて強度が不足しないようにしている。しかし、金属カバー１１５内の途中で樹脂ケース１１３を下方から受け止める部分を設けるなどして、樹脂ケース１１３の端部１１３ａの全体が金属カバー１１５から浮いて空間１１６を形成するような構造とすることもできる。
【００３９】
樹脂ケース１１３は基本的にはどのような形態のものでもよいが、本実施の形態のそれは偏平であって、表裏に通液部１１３ｅが設けられている。このようにすると、浄水器１１１は図１０、図１１に示すように、内容器２の底部の上にほぼ直角に衝立状に立ち上がるように取り付けられて、大きな比表面積ないしは通液面積と薄い奥行きを持った小さな通液抵抗状態にて内容液内に浸漬されて、内容液が浄水材１１２を通りやすくなるし、内容液に加熱され、沸騰されるときの対流や、注出されるときの動きがあるとき、これを遮ろうとしてより通過させやすくなるので、浄水効果の高いものとなる。図に示す実施例では通液部１１３ｅを格子窓状の開口部として、浄水材１１２の押え機能と通液性とを確保している。これに対応する金属カバー１１５も通液部１１３ｅに対応する格子窓部１１５ｆを設けている。しかし、これら格子窓の大きさや形状を変えたり、押え構造を変えたりするなど、種々な設計変更ができる。
【００４０】
金属カバー１１５はステンレス鋼板であると、腐食しにくく清潔さと衛生性を保ちやすい上、熱伝導性は低く、また、表面を鏡面として熱を反射させやすいので遮熱に有利である。また、剛性が高く薄板部材で構成できるので、浄水器１１１がかさ張らず好適である。しかし、これに限られることはなく、他の適当な金属部材や適当な加工を施したものでもよい。
【００４１】
金属カバー１１５の具体的な形態は、図１〜図８に示すように、樹脂ケース１１３の表側と、側周と、裏側の下部とを通液部１１３ｅを前記格子窓１１５ｆなどにより残して覆う形状を有している。さらに具体的には、樹脂ケース１１３の表側を覆う表壁１１５ａと、この表壁１１５ａの周囲から折り曲げられた周壁１１５ｂと、下部の周壁１１５ｂから樹脂ケース１１３の裏側下部に折り曲げられた折り曲げ壁１１５ｃとを有している。
【００４２】
これにより、金属カバー１１５の構造や浄水材１１２との嵌め合い構造を特に複雑にするようなことなく、金属カバー１１５により樹脂ケース１１３を覆う部分を大きくして、金属表面による汚れにくく清潔感を保ちやすいものとすることができる。特に、金属カバー１１５の折り曲げ構造では、板金加工だけで簡易に製作することができる。
【００４３】
また、このような金属カバー１１５を用いるのに、樹脂ケース１１３と金属カバー１１５とが、樹脂ケース１１３の端部１１３ａを金属カバー１１５の前記裏側下部を覆う壁、具体的には折り曲げ壁１１５ｃが形成するポケット部１１５ｄへ挿入した部分を図５に示すように支点Ｏとして、樹脂ケース１１３の全体を金属カバー１１５に嵌め合わせるときの矢印Ｐで示す相対移動の際に、樹脂ケース１１３の側周と金属カバー１１５の周壁１１５ｂとの間で係合し合って外れ止めする外れ止め係合部１１７、１１８を有したものとしている。
【００４４】
これにより、樹脂ケース１１３の端部１１３ａを金属カバー１１５の下部ポケット１１５ｄに挿入して、この挿入部を支点Ｏに樹脂ケース１１３および金属カバー１１５の全体を嵌め合わせるだけで、双方の係合部１１７、１１８が係合し合って外れ止め状態となるので、組み立てが簡単になる。図１〜図９に示す実施の形態での各実施例では、係合部１１７を樹脂ケース１１３の側周面の上辺、両側辺に設けた抜け止め形状をした、例えば横断面三角形状の係合突起とし、係合部１１８を金属カバー１１５の周壁１１５ｂに形成した係合穴としてあって、樹脂ケース１１３と金属カバー１１５との全体の嵌め合わせ時に、周壁１１５ｂが係合突起１１７に一時的に押し退けられた後、係合突起１１７が係合穴１１８に対向して前記押し退け力から解放されたときに、自己の弾性によって復帰することにより係合穴１１８が係合突起１１７に外れ止め状態に係合し合うようにしている。しかし、外れ止め係合はこのような構造に限られることはなく、樹脂ケース１１３側の凹部と金属カバー１１５側の突起との組み合わせであってもよい。
【００４５】
この場合、金属カバー１１５側の突起は横断面三角形状にプレス加工された押出部とすることができるし、抜け止め方向に傾斜した打ち起こし片であってもよい。
【００４６】
浄水材１１２は図６に示すように、粒状や繊維状の活性炭などの浄水材料を、焼結やバインダ剤、不織布構造、その他によってフィルターブロック１１１ａに形成したものを主体としている。このフィルタブロック１１１ａは浄水器１１１が偏平であることに対応して、数ｍｍとごく薄い板状タイプのものとしてある。
【００４７】
しかし、厚みは用途や仕様に応じて種々に選定すればよい。このフィルタブロック１１１ａの表裏にステンレス鋼線や樹脂繊維よりなる網１１１ｂが当てがわれて浄水材１１２を構成している。
【００４８】
樹脂ケース１１３は互いの嵌め合わせによって閉じられる表側ケース１１３ｇと裏側ケース１１３ｈとからなり、図に示す実施例では、表側ケース１１３ｇの周壁１１３ｇ１が、裏側ケース１１３ｈの周壁に設けた四周溝１１３ｈ１に比較的密に嵌まりあって止まり嵌め程度の嵌合をなして一体状態に安定し、相互の通液部１１３ｅ間に浄水材１１２を挟み付けた状態に収容している。これにより、単体のフィルターブロック１１１ａの表裏を網材１１１ｂで保護およびカバーし、これを互いの嵌め合わせによって閉じられる表側ケース１１３ｇと裏側ケース１１３ｈとに収容するだけで、全体が単体で取り扱えるようになるので、使用に便利であり薄いフィルターブロック１１１ａを用いても耐久性や分離粒の発生などで特に問題となることはない。
【００４９】
取り付け部１１４は、ばね線材１２１よりなる取り付け脚１２２としてある。
【００５０】
この取り付け脚１２２は金属カバー１１５およびその内部の空間１１６を通して樹脂ケース１１３の一部に嵌めつけ連結されるようにしている。このために金属カバー１１５には取り付け脚１２２を通すためのスリット１２３が設けられるとともに、樹脂ケース１１３には取り付け脚１２２の取り付け片１２２ａを抜け止め状態に受け入れて係合し連結状態にする溝状の係合部１２４が設けられている。
【００５１】
このように、内容器２の注出路１２が接続される流出口１２ａに弾性的に挿入される取り付け脚１２２を、ばね線材１２１の各種の折り曲げによって種々な形態に形成して安定した取り付け状態を確保しながら、流出口１２ａとの間に大きな遊びを残しやすく内容液の注出路１２を通じた注出を邪魔するようなことを回避しやすい。
【００５２】
上記取り付け片１２２ａおよび係合部１２４の形状や形態、係合の方式や構造は自由に設計することはできる。本実施の形態の図に示す実施例では、取り付け脚１２２は、図７、図８に示すように、中央の折り返し部を線材端部１２２ｃ間にＲ方向の第１のばね性を与える第１のばね基部１２２ｄとし、この第１のばね基部１２２ｄから引き揃え状態で線材端部１２３ｃ側に延びる一対のばね線材１２１の途中を第１のばね基部１２２ｄの折り返し方向とは直角な向きに折り返すか蔓巻き状にして、第１のばね基部１２２ｄ側の突片１２２ｅと一対の線材端部１２２ｃ側の二股片１２２ｈとの間に、第１のばね性の向きＲとは直交するＳ方向の第２のばね性を与える第２のばね基部１２２ｆを、第１のばね基部１２２ｄを境にした二股状に形成し、一対の線材端部１２２ｃを第１のばね基部１２２ｄの折り返し方向と平行な、外向きまたは内向きに屈曲させて取り付け片１２２ａを形成し、これら取り付け片１２２ａを第１のばね基部１２２ｄによるＲ方向の第１のばね性によって樹脂ケース１１３の係合部１２４に弾性的に係合させて連結されるようにしている。
【００５３】
図に示す実施例では線材端部１２２ｃの屈曲向きは外向きであって、線材端部１２２ｃを圧迫することでその間隔を第１のばね性に抗して狭めておいて、左右一対の係合部１２４の間に位置させてから前記圧迫を解いたときの線材端部１２２ｃが拡張状態に復元することで、取り付け片１２２ａが係合部１２４に係合するとともに係合状態に安定するようにしている。しかし、線材端部１２２ｃの屈曲向きを内向きとし、線材端部１２２ｃを引き離すことでその間隔を第１のばね性に抗して引き離しておいて、係合部１２４の両側に位置させてから前記引き離しを解いたときの線材端部１２２ｃが収縮状態に復元することで、取り付け片１２２ａが係合部１２４に両側から内向きに係合するとともに係合状態に安定するようにもできる。
【００５４】
いずれにしても、取り付け脚１２２の浄水器１１１側への連結が、金属カバー１１５内の樹脂ケース１１３との間の空間１１６と、ばね線材１２１の端部１２２ｃ側の第１のばね基部１２２ｄを境にしたＲ方向の第１のばね特性によって容易に達成される。また、二股状の第２のばね基部１２２ｆは取り付け脚１２２の下端部をなし、第１のばね基部１２２ｄによるＲ方向の第１のばね性によって流出口１２ａに所定の向きで圧入されるのに加え、第２のばね基部１２２ｆからの第１のばね基部側の突片１２２ｊと一対の線材端部１２２ｃ側の二股片１２２ｈとが、第２のばね基部１２２ｆによるＲ方向とは直交するＳ方向の第２のばね性によって流出口１２ａに圧入されるので、直交する２方向のばね性を持って圧入にして浄水器１１１を内容器２に対しより安定して取り付けることができる。しかも、この圧入は例えば図１２に示すように浄水器１１１を手に持って、取り付け部１１４を流出口１２ａに挿入していく１つの操作で、図１０〜図１３に示すように取り付けられる。このとき図１３に示すように取り付け脚１２２の二股片１２２ｈの途中に設けた横向き段部１２２ｈ１は流出口１２ａの開口縁に当接して、取り付け脚１２２の流出口１２ａへの挿入量を所定量に規定する役目を営む。
【００５５】
【発明の効果】
本発明の浄水器の１つの特徴によれば、浄水材を収容した樹脂ケースの、容器の注出路が接続された流出口に弾性的に挿入される取り付け部を有した取り付け側の端部が、金属カバーにより覆われていて、前記取り付け部を容器の前記流出口に弾性的に挿入する取り付け構造上、樹脂ケースがヒータを有した容器の底部近くになっても金属カバーによる遮熱と、金属カバーと樹脂ケースの端部との間に設けられた空間での断熱とによって、ヒータからの熱影響が二重に防止されるので、樹脂ケースの取り付け側端部が溶けるようなことを防止できる。また、万一、樹脂ケースの取り付け側端部が溶けたとしても、この端部が金属ケースで覆われていることによって溶けた樹脂が容器内に落ちて付着するというような溶け落ちを防止することができる。
【００５６】
また、樹脂ケースが偏平であって表裏に通液部が設けられていることにより、浄水器は容器の底部の上にほぼ直角に衝立状に立ち上がるように浄水器が取り付けられて、大きな比表面積ないしは通液面積と薄い奥行きを持った小さな通液抵抗状態にて内容液内に浸漬されて、内容液が浄水材を通りやすくするし、内容液に加熱され、沸騰されるときの対流や、注出されるときの動きがあるとき、これを遮ろうとしてより通過させやすくなるので、浄水効果の高いものとなる。
【００５７】
また、金属カバーは、樹脂ケースの表側と、側周と、裏側の下部とを通液部を残して覆う形状を有している構成であることにより、金属カバーの構造や浄水材との嵌め合い構造を特に複雑にするようなことなく、金属カバーにより樹脂ケースを覆う部分を大きくして、金属表面による汚れにくく清潔感を保ちやすいものとすることができる。
【００５８】
本発明の別の特徴によれば、特に金属カバーは、樹脂ケースの表側を覆う表壁と、この表壁の周囲から折り曲げられた周壁と、下部の周壁から樹脂ケースの裏側下部に折り曲げられた折り曲げ壁とを有している構成であることにより、上記構造の金属カバーを板金加工だけで簡易に製作することができる。
【００５９】
これらいずれの構成の金属カバーを有したものでも、樹脂ケースと金属カバーとが、樹脂ケースの下端部を金属カバーの前記裏側下部を覆う壁が形成するポケット部へ挿入した部分を支点として、樹脂ケースの全体を金属カバーに嵌め合わせるときの相対移動の際に、樹脂ケースの側周と金属カバーの周壁との間で係合し合って外れ止めする外れ止め係合部を有したものとすることにより、樹脂ケースの下端部を金属カバーの下部ポケットに挿入して、この挿入部を支点に樹脂ケースおよび金属カバーの全体を嵌め合わせるだけで、双方が外れ止め状態となるので、組み立てが簡単になる。
【００６０】
本発明の他の特徴によれば、特に、浄水材はフィルターブロックと、これの表裏に当てがわれた網とからなり、樹脂ケースは互いの嵌め合わせによって閉じられる表側ケースと裏側ケースとからなり、相互の間に浄水材を収容している構成であることにより、単体のフィルターブロックの表裏を網材で保護およびカバーし、これを互いの嵌め合わせによって閉じられる表側ケースと裏側ケースとに収容するだけで、全体が単体で取り扱えるようになるので、使用に便利であり薄いフィルターブロックを用いても耐久性や分離粒の発生などで特に問題となることはない。
【００６１】
本発明の今１つの特徴によれば、特に、取り付け部が、ばね線材よりなる取り付け脚であり、この取り付け脚は金属カバーおよびその内部の空間を通して樹脂ケースの一部に嵌めつけ連結されているものであることにより、容器の注出路が接続される流出口に弾性的に挿入される取り付け脚を、ばね線材の各種の折り曲げによって種々な形態に形成して安定した取り付け状態を確保しながら、流出口との間に大きな遊びを残しやすく内容液の注出路を通じた注出を邪魔するようなことを回避しやすい。
【００６２】
本発明のさらに別の特徴によれば、特に、取り付け脚は、取り付け脚の浄水器側への連結が、金属カバー内の樹脂ケースの端部との間の空間と、ばね線材の端部側の第１のばね基部を境にした第１のばね性によって容易に達成されるし、二股状の第２のばね基部は取り付け脚の下端部をなして前記第１のばね基部による第１のばね性によって流出口に所定の向きで圧入されるのに加え、第２のばね基部からの第１のばね基部側の突片と一対の端部側二股片とが、第２のばね基部による第２のばね性によって第１のばね性とは直交する向きで流入口に圧入されて、直交する２方向のばね性を持って圧入して浄水器を容器に対しより安定して取り付けることができる。
【００６３】
本発明のさらに他の特徴によれば、特に、樹脂ケースが、表裏の通液部の少なくとも一方に、浄水材のフィルターブロックの厚みよりも高い格子状の隔壁を有しているものであることにより、内容液に少しの動きがあっても、これを前記隔壁によって捕捉して浄水材を通るように向けやすいので、内容液を浄水材に接触させやすいので、浄水効果が向上する。
【００６４】
なお、このような取り付け脚は、浄水器から分離して、単独で提供し、浄水器と組み合わせ使用されるようにしても有効である。
【００６５】
本発明の電気貯湯容器によれば、浄水器をその取り付け部で容器の流出口に弾性的に簡易に取り付けて浄水に用いるのに、浄水器が容器のヒータに近い底部に近づいた構成であっても、前記金属カバーの遮熱と空間による断熱とで、樹脂ケースの端部がヒータからの熱により溶けるようなことを防止し、万一溶けても金属カバーで受けて容器内に溶け落ちるようなことを回避することができる。
【００６６】
また、取り付け部は、上記の取り付け脚を採用していることにより、それと同じ作業効果が得られるようにすることができる。
【図面の簡単な説明】
【図１】本発明の浄水器の実施の形態を示す斜視図である。
【図２】図１の浄水器の側面図である。
【図３】図１の浄水器の正面図である。
【図４】図１の浄水器の背面図である。
【図５】図１の浄水器の断面図である。
【図６】図１の浄水器の樹脂ケースの分解斜視図である。
【図７】図１の浄水器の樹脂ケースと金属カバーとの分解斜視図である。
【図８】図７とは向きを変えて見た図１の浄水器の樹脂ケースと金属カバーとの分解斜視図である。
【図９】別の実施例の浄水器を示す斜視図である。
【図１０】図１の浄水器を組み合わせ備えた電気ポットの断面図である。
【図１１】図１０の電気ポットの底部の断面図である。
【図１２】浄水器を電気ポットに取り付ける作業の状態を示す平面図である。
【図１３】浄水器を取り付けた状態を示す斜視図である。
【符号の説明】
１  ヒータ
２  内容器
３  外装ケース
４  器体
１２  注出路
１２ａ  流出口
１５  遠心ポンプ
１１１  浄水器
１１１ａ  フィルターブロック
１１１ｂ  網
１１２  浄水材
１１３  樹脂ケース
１１３ａ  端部
１１３ｅ  通液部
１１３ｇ  表側ケース
１１３ｈ  裏側ケース
１１３ｊ  隔壁
１１４  取り付け部
１１５  金属カバー
１１５ａ  表壁
１１５ｂ  周壁
１１５ｃ  折り曲げ壁
１１５ｄ  ポケット部
１１５ｆ  格子窓部
１１６  空間
１１７  係合部（係合突起）
１１８  係合部（係合穴）
１２１  ばね線材
１２２  取り付け脚
１２２ａ  取り付け片
１２２ｃ  線材端部
１２２ｄ  第１のばね基部
１２２ｅ  突片
１２２ｆ  第２のばね基部
１２２ｈ  二股片
Ｏ  支点
【図１】
0003552922.tif 000002
【図２】
0003552922.tif 000003
【図３】
0003552922.tif 000004
【図４】
0003552922.tif 000005
【図５】
0003552922.tif 000006
【図６】
0003552922.tif 000007
【図７】
0003552922.tif 000008
【図８】
0003552922.tif 000009
【図９】
0003552922.tif 000010
【図１０】
0003552922.tif 000011
【図１１】
0003552922.tif 000012
【図１２】
0003552922.tif 000013
【図１３】
0003552922.tif 000014